(57)【要約】【課題】上下シェルハーフが周縁部の複数箇所において溶接されて形成された扁平なハウジング内に記録媒体が収容されてなる記録媒体カートリッジにおいて、ハウジングの寸法精度を向上させる。【解決手段】上下シェルハーフ３，４の一方の剛性を大にして、他方をそれに倣わせる。【選択図】        図１
2006092687.tif 000002
【特許請求の範囲】
【請求項１】
上下シェルハーフが周縁部の複数箇所において溶接されて形成された扁平なハウジング内に記録媒体が収容されてなる記録媒体カートリッジにおいて、
前記上下シェルハーフが、互いに異なる剛性を有することを特徴とする記録媒体カートリッジ。
【請求項２】
前記上下シェルハーフが、互いに厚さの異なる板材で形成されていることを特徴とする請求項１記載の記録媒体カートリッジ。
【請求項３】
前記上下シェルハーフが、互いに高さの異なる周壁を備えていることを特徴とする請求項１または２記載の記録媒体カートリッジ。
【請求項４】
前記上下シェルハーフの一方が周壁を有しない板体からなり、他方にのみ周壁が形成されていることを特徴とする請求項２記載の記録媒体カートリッジ。
【請求項５】
前記上下シェルハーフが、互いに材質の異なるものであることを特徴とする請求項１記載の記録媒体カートリッジ。
【発明の詳細な説明】
【技術分野】
【０００１】
本発明は、上下シェルハーフが周縁部の複数箇所において溶接されて形成された扁平なハウジング内に記録媒体か収容されてなる記録媒体カートリッジに関するものである。
【背景技術】
【０００２】
従来より、デジタルカメラ等のモバイル機器においては、記録媒体として、「ｃｌｉｋ！（登録商標）」と呼ばれる超小型の記録媒体カートリッジが使用されている（特許文献１参照）。
【０００３】
この記録媒体カートリッジ１は、図２（斜視図）および図３（ａ），（ｂ）（平面図および裏面図）に示すように、ドライブ装置に押込み装填するときに指を当てる押込み部２ａを含む、スタビライザと呼ばれる樹脂製のフレーム２と、このフレーム２に嵌合された金属薄板(厚さ０．３ｍｍのステンレス鋼板)からなる平坦な主面を備えた上シェルハーフ３および下シェルハーフ４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）のディスク状磁気記録媒体５を回転自在に収容している。磁気記録媒体５の中央部には、中心孔１０ａを備えたハブ（センタコア）１０が固着されている。
【０００４】
この記録媒体カートリッジ１は、幅５３ｍｍ、奥行き８５ｍｍ、厚さ５ｍｍの外寸を有するＴＹＰＥII  ＰＣカード型のドライブ装置（図略）が備えているスロットに挿入形式でローディングされるように構成され、そのハウジングには、上記ドライブ装置が備えている記録再生用磁気ヘッドを磁気記録媒体５の表面にアクセスさせるためのＶ字状の開口６が形成され、さらに、ハウジングと磁気記録媒体５との間には、上記開口６を回転式に開閉するための、開口７ａを備えたロータリーシャッタ７が介装されている。このロータリーシャッタ７は、図示しないバネ部材によって閉方向に付勢され、かつ上シェルハーフ３に取り付けられている図示しないロック部材により閉位置にロックされるように構成されている。
【０００５】
なお、図２および図３（ａ），（ｂ）は、ロータリーシャッタ７の開口７ａがハウジング内に潜入して、ロータリーシャッタ７がハウジングの開口６を閉じている状態、すなわち閉位置にある状態を示している。
【０００６】
ロータリーシャッタ７は、図３（ａ）の４−４線に沿った要部拡大断面図である図４に示すように、周壁部において互いに嵌合されたアルミニウム薄板製の上下シャッターハーフ７Ｕ，７Ｄからなり、上シャッターハーフ７Ｕは、上シェルハーフ３の下面から内方へ突出する小径の円筒体３ａによって回転可能に軸支され、円筒体３ａの先端には、上シャッターハーフ７Ｕが円筒体３ａからの抜出すのを防止するためのセンタピンと呼ばれる抜止め部材１１が溶接されて、ハブ１０の中心孔１０ａ内に介入している。上下シャッターハーフ７Ｕ，７Ｄの内面には、磁気記録媒体５の表面を清掃するための不織布からなるライナ１３がそれぞれ貼り付けられている。
【０００７】
下シェルハーフ４の中央部には、ハブ１０を外部に臨ませる円形の開口４ａが形成され、下シャッターハーフ７Ｄの中心部には、下シェルハーフ４の開口４ａの周縁に遊嵌される大径の円筒体７Ｄａが下方へ向かって突設されて、この円筒体７Ｄａによって下シャッターハーフ７Ｄが下シェルハーフ４に回転可能に支持されているとともに、円筒体７Ｄａの先端部がカシメられて、下シャッターハーフ７Ｄが下シェルハーフ４からの抜け出すのを防止するフランジ１２が形成されている。
【０００８】
さらに下シェルハーフ４には、図３（ｂ）から明らかなように、ロータリーシャッタ７と同心的な円弧状開口４ｂが形成され、下シャッターハーフ７Ｄには、上記円弧状開口４ｂから突出しかつこの円弧状開口４ｂに沿って移動してロータリーシャッタ７を開閉するシャッターノブ７ｂが固設されている。そして、ドライブ装置に対する記録媒体カートリッジ１のローディング動作（押込み動作）に伴って、ロック部材によるロータリーシャッタ７の閉位置でのロックが解除されて、ロータリーシャッタ７が回動可能になるとともに、ドライブ装置が備えている係合壁面がシャッターノブ７ｂに係合して、ロータリーシャッタ７がその開口７ａを上下シェルハーフ３，４の開口６にほぼ一致させる開位置まで約６０度回転されることにより、図５（ａ），（ｂ）（平面図および裏面図）に示すように、磁気記録媒体５がハウジングの開口６から露出された状態でドライブ装置に装填される。
【０００９】
また、ドライブ装置に装填された記録媒体カートリッジ１は、これをさらにドライブ装置側に押すことにより、ドライブ装置との係合が外れてドライブ装置からの排出が可能になり、図示しないバネ部材によってロータリーシャッタ７が図５（ａ），（ｂ）に示す閉位置に復帰するように構成されている。
【００１０】
上下シェルハーフ３，４は、図４の右端に示すように、双方の周壁３ｓ、４ｓのエッジ同士を互いに突き合わせ、図３（ａ）に示すように、この突合せ線に沿った１３箇所の溶接箇所Ｗ１〜Ｗ１３におけるレーザービームを用いたスポット溶接により組み立てられる。なお、図４ではスポット溶接部をＷで示してある。
【特許文献１】米国特許第６,１３３,５４４号明細書
【発明の開示】
【発明が解決しようとする課題】
【００１１】
ところで、従来の記録媒体カートリッジ１の上下シェルハーフ３，４は、上述したように厚さ０．３ｍｍの薄いステンレス鋼板で形成されているが、このような薄い金属板は反りを無くすことが困難なため、図４に示すように、双方のほぼ同一高さの周壁３ｓ、４ｓのエッジ同士を突き合わせ溶接して組み立てた場合には、ハウジング全体が不特定な方向に曲がりを生じやすく、ハウジングの寸法精度を低下させる原因となっていた。
【００１２】
そこで本発明は、上述のようなハウジングの寸法精度が低下する問題を効果的に解決した記録媒体カートリッジを提供することを目的とするものである。
【課題を解決するための手段】
【００１３】
本発明は、上下シェルハーフが周縁部の複数箇所において溶接されて形成された扁平なハウジング内に記録媒体が収容されてなる記録媒体カートリッジにおいて、
上記上下シェルハーフが、互いに異なる剛性を有することを特徴とするものである。
【００１４】
上下シェルハーフの剛性を互いに異ならせるためには、上下シェルハーフを互いに厚さの異なる板材で形成してもよいし、上下シェルハーフの周壁の高さを互いに異ならせてもよい。あるいは、上下シェルハーフのうちの一方のシェルハーフを周壁のない板体で形成し、他方にのみ周壁を形成してもよい。あるいは上下シェルハーフが互いに材質の異なるものであってもよい。
【発明の効果】
【００１５】
本発明によれば、上下シェルハーフの剛性を互いに異ならせることにより、剛性が高い方のシェルハーフを基準にして、剛性が低い方のシェルハーフは剛性が高い方のシェルハーフに倣うために、ハウジングの寸法精度を向上させることができる。
【発明を実施するための最良の形態】
【００１６】
以下、本発明の実施の形態について、図面を参照して詳細に説明する。
【００１７】
図１(ａ)〜（ｃ）は、本発明による記録媒体カートリッジのハウジングにおける上下シェルハーフの周縁部の拡大断面図である。これらの実施例は、ハウジングを除く他の部分は、図２〜図５に示す従来の記録媒体カートリッジと同様なため、図示ならびに詳細な説明を省略する。
【００１８】
図１（ａ)に示すハウジングにおいては、周壁３ｓ，４ｓの突合せ部においてスポット溶接される(溶接部Ｗ)上下シェルハーフ３，４のうち、下シェルハーフ４が例えば厚さ０．４ｍｍのステンレス鋼板で形成されているのに対して、上シェルハーフ３は例えば厚さ０．２ｍｍのステンレス鋼板で形成されて、下シェルハーフ４の方が上シェルハーフ３よりも剛性が高くなっている。
【００１９】
この場合、図１（ｂ）に示すように、下シェルハーフ４の周壁４ｓの突合せ部の内側に突縁４ｓａを設けて段部を形成することにより、突合せ部に多少の隙間が存在していても、溶接部に対して図の右方から当てられるレーザービームによる溶接時に、上記隙間からスパッタやガス、酸化物等がハウジングの内部に飛び出して、記録媒体等に損傷を与える恐れを回避することができるとともに、周壁３ｓ，４ｓ相互のずれを防止することもできる。
【００２０】
次の図１（ｃ）に示すハウジングにおいては、厚さは同一であるが、下シェルハーフ４の周壁４ｓの高さが上シェルハーフ３の周壁３ｓよりも高く形成されていることによって、下シェルハーフ４の方が上シェルハーフ３よりも剛性が高くなっている。
【００２１】
さらに、図１（ｄ）に示すハウジングにおいては、下シェルハーフ４が周壁を有しない比較的厚い板体からなり、上シェルハーフ３のみが周壁３ｓを備えていることによって、下シェルハーフ４の方が上シェルハーフ３よりも剛性が高くなっている。
【００２２】
この場合も、図１（ｅ）に示すように、上シェルハーフ３の周壁３ｓを下方に延長するとともに、下シェルハーフ４の上面縁部に周壁３ｓの延長部分を収容する段部４ｅを設けることにより、図１（ｂ）に示す実施例と同様の効果を奏することができる。
【００２３】
これらの実施例においては、下シェルハーフ４を基準として上シェルハーフ３がそれに倣う形となり、ハウジングの外形寸法を変えることなしに寸法精度を向上させることができる。
【００２４】
また、図１（ｆ）に示すように、上シェルハーフ３が周壁３ｓを有する比較的厚い剛性の高い板体からなり、この周壁３ｓの下端部が、周壁を有しない比較的薄い板体からなる下シェルハーフ４の外周縁を覆うように形成して、この下シェルハーフ４の外周面と、上シェルハーフ３が周壁３ｓの下端部の内周面との突合せ面に対し、下方から溶接を施した構成とすることもできる。
【００２５】
これらの実施例における上下シェルハーフ３，４は、互いに溶接する観点からすれば、同一材料で形成されることが好ましいが、互いに異なる材質で形成することによって、剛性の差を生じさせるようにしてもよい。
【００２６】
例えば、下シェルハーフ４がステンレス鋼板からなる場合に、上シェルハーフ３をアルミニウムまたはＡＢＳ樹脂で形成することもでき、あるいは、上シェルハーフ３がステンレス鋼板からなる場合に、下シェルハーフ４をＰＯＭ（ポリオキシメチレン）樹脂とすることもできる。
【００２７】
上述の実施例は、外径１．８インチ（約４６ｍｍ）の磁気記録媒体５を備えた「ｃｌｉｋ！」の場合であるが、本発明はこれに限定されるものではなく、将来開発されるであろう更に小型で高密度な１インチ（約２５ｍｍ）や０．８インチ(約２０ｍｍ)等の超小型高密度記録媒体を備えたカートリッジにも適用可能であり、記録媒体はディスクに限らず、テープ、ハードディスク、光媒体、半導体等であってもよい。
【００２８】
また、上述の実施例では、ロータリーシャッタ７がハウジングに内蔵されたものであるが、本発明は、ロータリーシャッタあるいはスライドシャッタを外装した記録媒体カートリッジにも適用可能であることは言うまでもない。
【００２９】
さらに、上下シェルハーフ３，４の固着手段として、レーザービームによるスポット溶接に限らず、超音波溶接、嵌合、接着等によってもよい。
【図面の簡単な説明】
【００３０】
【図１】図１(ａ)〜（ｆ）は、本発明による記録媒体カートリッジのハウジングにおける上下シェルハーフの周縁部の拡大断面図である。
【図２】従来の記録媒体カートリッジの斜視図である。
【図３】図３（ａ），（ｂ）は、図２の記録媒体カートリッジのロータリーシャッタが閉位置にある状態を示す平面図および底面図である。
【図４】図３（ａ）の４−４線に沿った要部の拡大断面図である。
【図５】図５（ａ），（ｂ）は、図２の記録媒体カートリッジの、ロータリーシャッタが開位置にある状態を示す平面図および底面図である。
【符号の説明】
【００３１】
１    記録媒体カートリッジ
３    上シェルハーフ
３ｓ    上シェルハーフの周壁
４    下シェルハーフ
４ｓ    下シェルハーフの周壁
５    磁気記録媒体
６    ハウジングの開口
７    ロータリーシャッタ
７Ｕ    上シャッターハーフ
７Ｄ    下シャッターハーフ
Ｗ    スポット溶接部
Ｗ１〜Ｗ１３    溶接箇所
【図１】
2006092687.tif 000003
【図２】
2006092687.tif 000004
【図３】
2006092687.tif 000005
【図４】
2006092687.tif 000006
【図５】
2006092687.tif 000007